(57)【要約】【課題】アコースティックシンバルのようなリアルな打感を得ることができるシンバルパッドの回り止め具を提供する。【解決手段】シンバルパッド１０の回り止め具１の一態様は、シンバルパッド１０の保持プレート１８に設けた保持孔１９と、シンバルスタンドの支持ロッド２０に設けた保持スリーブ２２と、を有する。保持スリーブ２２は、保持孔１９にガタを有して挿通配置される。保持孔１９の内周部には、複数の係合凹部３４がある。保持スリーブ２２は、複数の係合凹部３４のうち少なくとも１つの係合凹部３４に係合してシンバルパッド１０の支持ロッド２０に対する回動を抑制する少なくとも１つの稜部３３を備えている。【選択図】      図４
2019124788.tif 000002
【特許請求の範囲】
【請求項１】
シンバルスタンドおよびシンバルパッドの一方に設けた保持孔であって、その内周部に複数の第１係合部を有する保持孔と、
前記シンバルスタンドおよび前記シンバルパッドの他方に設けた軸部材であって、前記保持孔にガタを有して挿通配置されるとともに、前記複数の第１係合部のうち少なくとも１つの第１係合部に係合して前記シンバルパッドの前記シンバルスタンドに対する回動を抑制する少なくとも１つの第２係合部を外周面に備えた軸部材と、
を有するシンバルパッドの回り止め具。
【請求項２】
前記軸部材は、少なくとも２つの前記第１係合部に係合する少なくとも２つの前記第２係合部を備えている、
請求項１に記載の回り止め具。
【請求項３】
前記軸部材の断面形状は、全ての頂角が前記第２係合部として機能する正多角形である、
請求項２に記載の回り止め具。
【請求項４】
前記第２係合部の整数倍の数の前記第１係合部を、前記保持孔の周方向に等間隔で配置した、
請求項３に記載の回り止め具。
【請求項５】
前記保持孔を設けた部材は前記軸部材より柔らかい材料で形成されている、
請求項１乃至請求項４のうちいずれか１項に記載の回り止め具。
【発明の詳細な説明】
【技術分野】
【０００１】
本発明は、例えば、電子ドラムの演奏中にシンバルパッドが回る不具合を防止するための回り止め具に関する。
【背景技術】
【０００２】
電子ドラムのシンバルパッドは、スティックによる打撃により生じる振動を電気信号に変換する圧電素子などのセンサを内蔵している。また、電子ドラムのシンバルパッドには、センサを介して検出した電気信号を取り出すための出力ケーブルが接続されている。このため、センサの真上を直接叩いてしまう問題や、出力ケーブルが絡まったり抜けたりしてしまう問題が発生しないように、シンバルパッドの回り止め具が必要とされている。
【０００３】
例えば、特許文献１には、シンバルスタンド側の楔形に突出した尖端部に、シンバルパッド側の楔形にえぐられた凹部を遊嵌した（乗せた）回り止め具について開示されている。
【先行技術文献】
【特許文献】
【０００４】
【特許文献１】特開２００７−８６８１３号公報
【発明の概要】
【発明が解決しようとする課題】
【０００５】
しかし、特許文献１の回り止め具は、楔形の尖端部に楔形の凹部を緩く嵌める構造を有するため、シンバルパッドを叩いたときに、シンバルパッドの周方向に沿ってシンバルパッドの揺れ方にバラつきを生じてしまう。具体的には、特許文献１の回り止め具を用いた場合、尖端部の稜部に沿った方向にシンバルパッドが揺動し難い。つまり、アコースティックドラムの金物のシンバル（以下、アコースティックシンバルと称する）と比較して、スティックで叩いたときのシンバルパッドの動きがシンバルパッドの周方向に沿った叩く位置によってバラつきを生じる。
【０００６】
このため、アコースティックシンバルと比較して、微妙な強弱を付けた繊細な演奏が難しく、強く叩いたときのシンバルパッドの揺れ方にも叩く位置によってバラつきを生じ、アコースティックシンバルのようなリアルな打感を得ることが難しい。
【０００７】
本発明は、上記の点に鑑みてなされたもので、アコースティックシンバルのようなリアルな打感を得ることができるシンバルパッドの回り止め具を提供することを目的とする。
【課題を解決するための手段】
【０００８】
本発明のシンバルパッドの回り止め具の一態様は、シンバルパッドに設けた保持孔と、シンバルスタンドに設けた軸部材と、を有する。軸部材は、保持孔にガタを有して挿通配置される。保持孔の内周部には、複数の第１係合部がある。軸部材は、複数の第１係合部のうち少なくとも１つの第１係合部に係合してシンバルパッドのシンバルスタンドに対する回動を抑制する少なくとも１つの第２係合部を備えた外周面を有する。
【発明の効果】
【０００９】
本発明のシンバルパッドの回り止め具によると、アコースティックシンバルのようなリアルな打感を得ることができる。
【図面の簡単な説明】
【００１０】
【図１】図１は、実施形態に係るシンバルパッドを斜め上方から見た斜視図である。
【図２】図２は、図１のシンバルパッドを斜め下方から見た斜視図である。
【図３】図３は、図２のシンバルパッドをＦ３−Ｆ３に沿って見た断面図である。
【図４】図４は、図１のシンバルパッドの回り止め具を示す分解斜視図である。
【図５】図５は、図４の回り止め具を軸方向から見た平面図である。
【発明を実施するための形態】
【００１１】
以下、本発明を実施するための形態について図面を参照して説明する。  
図１は、実施形態に係る回り止め具１（図４参照）を備えたシンバルパッド１０を斜め上方から見た斜視図であり、図２は、このシンバルパッド１０を斜め下方から見た斜視図である。シンバルパッド１０は、シンバルスタンドの先端に取り付けられる。図２では、シンバルスタンドの先端にある支持ロッド２０だけを部分的に図示しており、図１では、シンバルスタンドの図示を省略してある。また、図３は、シンバルスタンドに取り付けた状態のシンバルパッド１０の断面図であり、図２のシンバルパッドをＦ３−Ｆ３に沿って見た図である。
【００１２】
シンバルスタンドは、シンバルパッド１０を取り付ける細長い支持ロッド２０の他に、支持ロッド２０を上端に有して上下方向に延びた図示しない支柱、支柱の長さを調節する図示しない調節機構、支柱を床に立設する図示しない脚部やフレームなどを有する。支持ロッド２０は、支柱の上端に一体に設けてもよい。また、シンバルスタンドとして、支柱と支持ロッド２０の間に設けて支柱の上端から横方向に延出した図示しないブームを有する場合もある。支柱の上端やブームの先には、支持ロッド２０の角度を調節するための図示しない調節機構が設けられてもよい。
【００１３】
電子ドラムやアコースティックドラムを含むドラムセットとして見ると、シンバルパッドやアコースティックシンバルを含むシンバルには、様々な種類がある。例えば、ここで言うシンバルには、ハイハットシンバル、ライドシンバル、クラッシュシンバルなどが含まれる。言い換えると、本実施形態の回り止め具１は、これらの各種シンバルのいずれにも適用することができるものである。
【００１４】
図３に示すように、シンバルスタンドの支持ロッド２０の上端近くの外周面には、蝶ナット２１を螺合するためのネジが切られている。また、支持ロッド２０は、その上端に向けて段階的に径が小さくなっており、径が変わる部位に円環状の段部２０ａ、２０ｂが設けられている。本実施形態では、段部２０ａ、２０ｂは、支持ロッド２０の長手方向に沿って互いに離間した外周面上の２箇所に設けられている。
【００１５】
支持ロッド２０には、その上端側から略円筒形の保持スリーブ２２が取り付けられて、その後、略円板状のシンバルパッド１０が取り付けられる。そして、フェルトワッシャ２４ａおよびワッシャ２４ｂを保持スリーブ２２との間に挟んで、蝶ナット２１を支持ロッド２０の上端に螺合させる。これにより、シンバルパッド１０が支持ロッド２０に対してわずかに揺動可能な状態で取り付けられる。フェルトワッシャ２４ａは、別の素材により形成したものであってもよい。
【００１６】
保持スリーブ２２は、支持ロッド２０の２つの段部２０ａ、２０ｂのうち上方の段部２０ｂを覆う位置に取り付けられる。保持スリーブ２２の内周面には、段部２０ｂに係合する段部２２ａが設けられている。支持ロッド２０の上端側から保持スリーブ２２を取り付けると、保持スリーブ２２の段部２２ａが支持ロッド２０の段部２０ｂに係合して、保持スリーブ２２がその位置に保持される。
【００１７】
保持スリーブ２２は、この位置で、図２に示すネジ２３により支持ロッド２０に固定される。保持スリーブ２２は、その外周面と内周面をつなぐ軸方向と直交するネジ孔２２ｂを有する。そして、ネジ２３を保持スリーブ２２のネジ孔２２ｂに螺合することで、ネジ２３の先端が支持ロッド２０の外周面に押し付けられて、保持スリーブ２２が支持ロッド２０に固定される。これにより、保持スリーブ２２がシンバルスタンドに対して回転不能となる。
【００１８】
保持スリーブ２２は、外径が比較的小さい小径部分２２ｃ、および外径が比較的大きい大径部分２２ｄを有する。小径部分２２ｃと大径部分２２ｄの間の肩部２２ｅは、小径部分２２ｃの下端から大径部分２２ｄの上端に向けて外側に向けて傾斜している。肩部２２ｅは、内周面に設けた段部２２ａと略同じ高さ位置で外周面に設けられている。肩部２２ｅは、シンバルパッド１０が取り付けられた状態で、後述する保持プレート１８に当接する。
【００１９】
シンバルパッド１０は、図３に示すように、略円板状の本体プレート１２、本体プレート１２の中央下面側に設けたフレーム１４、本体プレート１２の表面を覆うカバー部材１６、および上述したシンバルスタンド側の保持スリーブ２２と協働してシンバルパッド１０の回り止め具１として機能する略円板状の保持プレート１８を有する。図３では、シンバルパッド１０がシンバルスタンドの支持ロッド２０に対してわずかに傾いた状態を図示してある。
【００２０】
本体プレート１２は、例えば、ＡＢＳやポリカーボネートなどの硬質樹脂により形成されており、中心に保持スリーブ２２を挿通可能な円形の挿通孔１２ａを有する。本体プレート１２は、平らな円板状に形成されてもよく、わずかに湾曲させてもよい。本実施形態では、本体プレート１２をその中心から外周縁に向けてわずかに下方に湾曲させた。
【００２１】
フレーム１４は、本体プレート１２の下面に同軸に固定されている。フレーム１４は、例えば、本体プレート１２と同じ材料により形成されている。フレーム１４は、図示下面側に、保持プレート１８を収容する略円筒形の凹所１４ａを有する。凹所１４ａの底壁１４ｂは、本体プレート１２の下面に接触している。凹所１４ａは、本体プレート１２の下面に向けて図示上方に凹んでいる。
【００２２】
凹所１４ａの底壁１４ｂには、保持スリーブ２２を挿通可能な挿通孔１４ｃが設けられている。挿通孔１４ｃの縁は、本体プレート１２の挿通孔１２ａから保持プレート１８の後述する保持孔１９の縁に向けて縮径するように内側に傾斜している。挿通孔１４ｃの最も縮径した部分の内径は、保持スリーブ２２の大径部分２２ｄの外径より小さい。
【００２３】
凹所１４ａの周壁の断面形状は、少なくとも底壁１４ｂに隣接した部位で、保持プレート１８の形状に合わせたＤ字形状にされている（図示せず）。凹所１４ａの底壁１４ｂには、保持プレート１８の２つの挿通孔１８ａ（図４）に対応する２つのネジ孔（図示せず）が設けられている。Ｄ字状の切り欠き１８ｂを位置合わせして、凹所１４ａ内に保持プレート１８を配置して、凹所１４ａの底壁１４ｂに保持プレート１８をネジで固定すると、保持プレート１８がフレーム１４に固定されて回転不能となる。保持プレート１８の挿通孔１８ａおよび凹所１４ａの底壁１４ｂに設けたネジ孔の数は３組以上であってもよい。
【００２４】
フレーム１４は、凹所１４ａの外側に、本体プレート１２の下面との間で閉塞した略円環状の収容部１４ｄを有する。収容部１４ｄ内には、図示しない圧電素子やその配線が配置されている。圧電素子は、本体プレート１２に取り付けられており、本体プレート１２の振動を電気信号に変換する。圧電素子は、収容部１４ｄより本体プレート１２の外周縁により近い位置に設けてもよい。
【００２５】
図２に示すように、収容部１４ｄは、径方向の一側に矩形状に張り出した突出部分１４ｅを有し、この突出部分１４ｅの中に図示しない基板やコネクタが配置されている。突出部分１４ｅの端面１４ｆには、図示しない出力ケーブルの図示しないプラグを挿通してコネクタに差し込むための２つの挿通孔１４ｇ、１４ｇが設けられている。出力ケーブルは、プラグおよびコネクタを介して圧電素子に電気的に接続し、圧電素子で検出した電気信号を取り出す。
【００２６】
カバー部材１６は、図２および図３に示すように、本体プレート１２の外周縁を巻き込むように設けられている。カバー部材１６は、本体プレート１２の外周縁に近いエッジ部１６ａ、および保持スリーブ２２に近いカップ部１６ｂをなだらかに一体につなげた形状を有する。
【００２７】
エッジ部１６ａに沿って、本体プレート１２には、シンバルパッドの振動音を消音するための図示しないメンブレンスイッチが設けられている。メンブレンスイッチは、演奏者がシンバルパッド１０のエッジを指でつまむことでＯＮにされるスイッチであり、シンバルパッド１０を叩いた後にこのメンブレンスイッチを押すことでシンバルの音が消えるようになっている。
【００２８】
エッジ部１６ａを含むカバー部材１６の大部分は、本体プレート１２の上面に密着して設けられている。カップ部１６ｂは、本体プレート１２の上面から中心に向けて湾曲して徐々に離間したドーム状に膨出した形状に形成されている。カップ部１６ｂの中央には、保持スリーブ２２を挿通可能で且つフェルトワッシャ２４より大径な挿通孔１６ｃが設けられている。
【００２９】
カバー部材１６は、ゴムや合成樹脂などにより形成されており、本体プレート１２と貼り合せた状態で、アコースティックシンバルと同等の硬さを有する。カバー部材１６の表面には、スティックによる打撃に対しアコースティックシンバルと同等の滑りを実現するための表面材を塗布してもよい。本体プレートやカバー部材１６の材質、および表面材を適切に選択することで、アコースティックシンバルの打感に近付けることができる。
【００３０】
カバー部材１６のカップ部１６ｂと本体プレート１２の間には中実なスペーサ１７が設けられている。スペーサ１７は、中央に挿通孔１７ａを有する略円環状に形成されている。スペーサ１７の図示上面とカップ部１６ｂの間には、図示しないメンブレンスイッチが設けられている。メンブレンスイッチは、カップ部１６ｂへの打撃を検出する。
【００３１】
スペーサ１７の挿通孔１７ａの縁には、カップ部１６ｂの挿通孔１６ｃを通って図示上方に突出した環状突起１７ｂが設けられている。環状突起１７ｂの内面に延びた挿通孔１７ａの内径は、本体プレート１２の挿通孔１２ａの内径より大きく、フェルトワッシャ２４の外径よりわずかに大きい。図３に示すように、シンバルパッド１０がシンバルスタンドの支持ロッド２０に対して傾斜すると、フェルトワッシャ２４がスペーサ１７の環状突起１７ｂの内面に押し付けられてつぶれる。
【００３２】
上述した構造のシンバルパッド１０は、出力ケーブルをつないだ状態で使用するため、演奏中に回転して出力ケーブルのプラグがシンバルパッド１０のコネクタから抜けたりしないように、シンバルパッド１０が回ることを防止する工夫が必要である。
【００３３】
シンバルパッド１０のカバー部材１６は、図１に示すように、扇形部分１５を有する。扇形部分１５は、フレーム１４の突出部分１４ｅに重なる位置に設けられている。そして、この扇形部分１５が演奏者から遠い位置に配置される向きでシンバルパッド１０がシンバルスタンドに取り付けられている。言い換えると、扇形部分１５の反対側に最適な打撃位置を設定してあり、この最適な位置を演奏者がスティックで叩くように、シンバルパッド１０の回り止めがされている。
【００３４】
以下、本実施形態に係る回り止め具１について、図４および図５を参照して詳細に説明する。図４は、回り止め具１の保持プレート１８と保持スリーブ２２（軸部材）を互いに分離して示す斜視図であり、図５は、保持プレート１８の保持孔１９に保持スリーブ２２を挿通配置した状態の回り止め具１を軸方向から見た平面図である。図５に示すように、保持スリーブ２２（小径部分２２ｃ）は、保持プレート１８の保持孔１９に対して適度なガタを有して挿通される。
【００３５】
本実施形態において、保持スリーブ２２の小径部分２２ｃは、正六角柱に形成されており、その中心にシンバルスタンドの支持ロッド２０を挿通するための長孔３１が形成されている。言い換えると、小径部分２２ｃの中心軸と直交する断面の形状は正六角形である。保持スリーブ２２の大径部分２２ｄには、保持スリーブ２２を支持ロッド２０に固定するためのネジ２３を螺合するネジ孔２２ｂ（図２）を備えたボス部３２が突設されている。
【００３６】
保持スリーブ２２の小径部分２２ｃの外周面には、周方向に等間隔で且つ互いに平行な６つの稜部３３（第２係合部）が設けられている。本実施形態では、小径部分２２ｃを正六角柱に形成したが、これに限らず、稜部３３の数、角度、形状なども任意に変更可能である。例えば、小径部分２２ｃの断面形状を正五角形や正八角形など他の正多角形に形成してもよい。或いは、稜部３３を小径部分２２ｃの周方向に不均等な間隔で設けてもよく、少なくとも１つの稜部３３を設ければよい。
【００３７】
一方、保持プレート１８は、上述した２つの挿通孔１８ａおよび切り欠き１８ｂの他に、その中央に保持スリーブ２２の小径部分２２ｃを挿通するための保持孔１９を有する。本実施形態では、保持孔１９は、保持スリーブ２２の小径部分２２ｃの外径より一回り大きい断面が正六角形の孔を相対的に３０度ずらして重ねた形状を有する。つまり、本実施形態では、保持孔１９の内周部に、保持スリーブ２２の６つの稜部３３にそれぞれ同時に係合可能な１２個の係合凹部３４（第１係合部）が設けられている。
【００３８】
これら複数の係合凹部３４は、保持孔１９の内周に沿って等間隔で設けられている。本実施形態の複数の係合凹部３４は、周方向に隣接する係合凹部３４同士をなだらかにつないだ形状を有する。つまり、本実施形態の複数の係合凹部３４は、外側に突出する湾曲面と内側に突出する湾曲面を交互につなげた形状を有する。一方、保持スリーブ２２の小径部分２２ｃの稜部３３は、角を有するものに限らず、面取りした曲面形状を有してもよい。
【００３９】
係合凹部３４の数は、本実施形態のように稜部３３の数に合わせた数にしてもよく、稜部３３の数に関係ない数にしてもよい。本実施形態では、係合凹部３４の数を稜部３３の数の２倍に設定した。例えば、係合凹部３４の数を４つにして稜部３３の数をその３倍の１２個にしてもよく、係合凹部３４の数を稜部３３の整数倍にすることが望ましい。係合凹部３４の数を稜部３３の整数倍にすることで、保持スリーブ２２の保持プレート１８に対する取付角度を微調整できることに加え、保持スリーブ２２の全ての稜部３３を保持孔１９の係合凹部３４に係合させることができ、両者の間の係合状態を確実にすることができる。
【００４０】
反面、シンバルパッド１０は支持ロッド２０に対して揺動可能である必要があるため、保持プレート１８の保持孔１９に対して保持スリーブ２２の小径部分２２ｃは緩く挿通される必要がある。また、シンバルパッド１０は、通常の演奏時には支持ロッド２０に対して回動不能であることが望ましいが、演奏者が無理に回したときには支持ロッド２０に対してシンバルパッド１０が回動することが望ましい。このように、シンバルパッド１０を無理に回そうとしたときに、支持ロッド２０に対してシンバルパッド１０が回動可能とすることで、支持ロッド２０やシンバルパッド１０自体の破損を防止することができる。
【００４１】
このため、本実施形態では、保持プレート１８の保持孔１９の大きさを保持スリーブ２２の小径部分２２ｃに対して回動不能な大きさに設定し、且つ保持孔１９と小径部分２２ｃの各稜部３３との間に適度なガタを有する大きさに設定した。また、本実施形態では、保持孔１９を形成した保持プレート１８を、保持スリーブ２２より柔らかい材料で形成した。そして、保持孔１９と小径部分２２ｃの各稜部３３との間の上述した適度なガタを、保持プレート１８の変形を伴って両者を回動可能な程度のガタに設定した。このため、保持プレート１８が磨滅した際には、保持プレート１８を交換すればよく、メンテナンスコストを安価にすることができる。
【００４２】
以上のように、本実施形態によると、シンバルパッド１０に固定した保持プレート１８の保持孔１９に、シンバルスタンドの支持ロッド２０に固定した保持スリーブ２２の小径部分２２ｃをガタを有して挿通するため、シンバルパッド１０をスティックで叩いたときに、アコースティックシンバルと同様に周方向にバラつきなく揺動する。このため、本実施形態によると、アコースティックシンバルのようなリアルな打感を得ることができる。
【００４３】
その上、本実施形態によると、シンバルパッド１０とシンバルスタンドの間に回り止め具１を配置したため、シンバルパッド１０をスティックで叩いたときに、シンバルパッド１０が支持ロッド２０に対して不所望に回動する不具合を防止することができる。このため、本実施形態によると、シンバルパッド１０が正常な位置から外れて回動して、圧電素子を直接たたいてしまう問題や、出力ケーブルのプラグがシンバルパッド１０のコネクタから抜けてしまう問題が起きる心配がない。
【００４４】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【００４５】
例えば、上述した実施形態では、シンバルスタンドの支持ロッド２０に固定する保持スリーブ２２とシンバルパッド１０に固定する保持プレート１８の保持孔１９との間で、シンバルパッド１０の回り止め構造を設けた場合について説明したが、これに限らず、シンバルパッド１０のフレーム１４の凹所１４ａと保持プレート１８との間に本発明の回り止め具を設けてもよい。この場合、保持プレート１８をシンバルスタンドの支持ロッド２０に固定すればよい。
【符号の説明】
【００４６】
１…回り止め具、  １０…シンバルパッド、  １８…保持プレート、  １９…保持孔、  ２０…支持ロッド、  ２２…保持スリーブ、  ２２ｃ…小径部分、  ３３…稜部、  ３４…係合凹部。
【図１】
2019124788.tif 000003
【図２】
2019124788.tif 000004
【図３】
2019124788.tif 000005
【図４】
2019124788.tif 000006
【図５】
2019124788.tif 000007